(57)【要約】【課題】放熱フィンへの熱伝導による冷却効果を低下させず、マグネトロンの冷却効率を向上させることができるマグネトロン及びマグネトロン利用機器を提供すること。【解決手段】本発明のマグネトロンは、両端に永久磁石を有する陽極筒体と、前記陽極筒体の外周面に接触する接触部、及び前記接触部と連続し、前記接触部の一端から略水平方向に延びる延出部を有し、前記陽極筒体の長手方向に沿って所定の間隔で配設される複数の放熱フィンと、を備え、前記陽極筒体の長手方向に沿った複数の放熱フィン間の隙間から、前記陽極筒体の外周面が露出する。【選択図】図１
2011187421.tif 000002
【特許請求の範囲】
【請求項１】
両端に永久磁石を有する陽極筒体と、
前記陽極筒体の外周面に接触する接触部、及び前記接触部と連続し、前記接触部の一端から略水平方向に延びる延出部を有し、前記陽極筒体の長手方向に沿って所定の間隔で配設される複数の放熱フィンと、を備え、
前記陽極筒体の長手方向に沿った複数の放熱フィン間の隙間から、前記陽極筒体の外周面が露出する、
ことを特徴とするマグネトロン。
【請求項２】
請求項１に記載のマグネトロンであって
前記複数の放熱フィン間の隙間に加えて、
前記接触部の一部の切り欠きから前記陽極筒体の外周面が露出する、
ことを特徴とするマグネトロン。
【請求項３】
請求項１に記載のマグネトロンであって
前記複数の放熱フィン間の隙間に加えて、
前記接触部の一部に複数の貫通孔から前記陽極筒体の外周面が露出する、
ことを特徴とするマグネトロン。
【請求項４】
請求項１から請求項３のいずれか一項に記載のマグネトロンを備えるマグネトロン利用機器。
【発明の詳細な説明】
【技術分野】
【０００１】
本発明は、マグネトロン及びマイクロ波利用機器に関し、特に、電子レンジ等のマイクロ波利用機器に用いるマグネトロンに関する。
【背景技術】
【０００２】
図８は、特許文献１に記載の従来のマグネトロン１０の構成の一部を示す図である。マグネトロン１０の陽極筒状体１１の外周面１１ａに、一定の高さ（図８中、高さＢ又は高さＣ）だけ折り曲げ加工された複数の放熱フィン１３ａ、１３ｂを、高さＨの陽極筒状体１１の長手方向（図中、Ｘ方向）に沿って互いに密接するように圧入し、積層配設する。
【０００３】
ここで、放熱フィン１３ａの高さＣが放熱フィン１３ｂの高さＢよりも低いため、ベーン１５が位置する陽極筒状体１１の外周面１１ａの中心部に付着される放熱フィン１３ａによる放熱面積が、外方部に付着される放熱フィン１３ｂ（高さＢ）による放熱面積より広い。そのため、マグネトロン１０の動作時に、陽極筒状体１１の中心部の高熱を早く放熱させることができる。
【先行技術文献】
【特許文献】
【０００４】
【特許文献１】特開平５−１５１９０３号公報
【発明の概要】
【発明が解決しようとする課題】
【０００５】
しかしながら、複数の放熱フィン１３ａ、１３ｂは、陽極筒状体１１の長手方向（図中、Ｘ方向）に沿って互いに密接するように、圧入、積層配設されている。そのため、陽極筒状体１１の長手方向（図中、Ｘ方向）に沿って隣接する放熱フィン１３ａ、１３ｂ同士の間に隙間がない。したがって、陽極筒状体１１の外周面１１ａのほとんどは、放熱フィン１３ａ、１３ｂによって覆われており、放熱フィン１３ａ、１３ｂ間を通る冷却風が、陽極筒状体１１の外周面１１ａに、直接当たらない。そのため、マグネトロン１０の冷却効率が良くない。
【０００６】
また、一般的に、互いに隣接する放熱フィンを密着させて、陽極筒体を支持する継鉄と陽極筒体との間に圧入する方法をとっている。図９は、放熱フィン圧入時に形成される空気層１６を示す図である。例えば、図９に示すように、マグネトロン１０においても、陽極筒状体１１の長手方向（図中、Ｘ方向）に沿って、互いに隣接する放熱フィン１３ａ、１３ｂと、陽極筒状体１１の外周面１１ａとの間には、陽極筒状体１１の外周面１１ａに沿って空気層１６が形成される。この空気層１６により、放熱フィン１３ａ、１３ｂへの熱伝導による冷却効果が低下してしまう。
【０００７】
本発明の目的は、放熱フィンへの熱伝導による冷却効果を低下させず、マグネトロンの冷却効率を向上させることができるマグネトロン及びマグネトロン利用機器を提供することである。
【課題を解決するための手段】
【０００８】
本発明は、両端に永久磁石を有する陽極筒体と、前記陽極筒体の外周面に接触する接触部、及び前記接触部と連続し、前記接触部の一端から略水平方向に延びる延出部を有し、前記陽極筒体の長手方向に沿って所定の間隔で配設される複数の放熱フィンと、を備え、前記陽極筒体の長手方向に沿った複数の放熱フィン間の隙間から、前記陽極筒体の外周面が露出する、ことを特徴とするマグネトロンを提供する。
【０００９】
上記マグネトロンでは、前記複数の放熱フィン間の隙間に加えて、前記接触部の一部の切り欠きから前記陽極筒体の外周面が露出する。
【００１０】
上記マグネトロンでは、前記複数の放熱フィン間の隙間に加えて、前記接触部の一部に複数の貫通孔から前記陽極筒体の外周面が露出する。
【００１１】
また、本発明は、上記マグネトロンを備えるマグネトロン利用機器を提供する。
【発明の効果】
【００１２】
本発明に係るマグネトロン及びマイクロ波利用機器によれば、放熱フィンへの熱伝導による冷却効果を低下させず、マグネトロンの冷却効率を向上させることができる。
【図面の簡単な説明】
【００１３】
【図１】本発明の実施の形態に係るマグネトロン１の全体構成図
【図２】放熱フィン５の斜視図
【図３】放熱フィン５内に陽極筒体２が挿入された様子を示す図
【図４】円筒部５ｅと陽極筒体２の外周面２ａの接触部分を示す図
【図５】円筒部５ｅの変形例（１）を示す図
【図６】円筒部５ｅの変形例（２）を示す図
【図７】円筒部５ｅの変形例（３）を示す図
【図８】従来のマグネトロン１０の構成の一部を示す図
【図９】放熱フィン１３ａ、１３ｂ圧入時に形成される空気層１６を示す図
【発明を実施するための形態】
【００１４】
以下、本発明の実施の形態について、図面を参照して説明する。
【００１５】
図１を参照して、本発明の実施の形態に係るマグネトロン１の構成について説明する。図１は、本発明の実施の形態マグネトロン１の全体構成図である。
【００１６】
本実施の形態に係るマグネトロン１は、長軸方向の両端に永久磁石４を有する陽極筒体２と、陽極筒体２の周囲、外周面２ａに沿って、陽極筒体２の長手方向（図１中、Ｘ方向）に沿ってほぼ等間隔に配置された複数の放熱フィン５と、複数の永久磁石４、陽極筒体２、及び複数の放熱フィン５とを、その内部に備える磁気ヨーク３と、を有する。磁気ヨーク３内には動作時に高温となるマグネトロン１を空冷するため、図中紙面手前から奥行方向又は、図中紙面奥方向から手前方向に向かって冷却風が流れる。
【００１７】
複数の放熱フィン５は、陽極筒体２の長手方向（図１中、Ｘ方向）に沿ってほぼ等間隔に配置されている。複数の放熱フィン５は、動作時に高温となるマグネトロン１を冷却する機能を有する。
【００１８】
ここで、図１に示すように、本実施の形態に係るマグネトロン１では、３枚の放熱フィン５が、陽極筒体２の長手方向（図中、Ｘ方向）に沿って、所定の間隔Ｄ１だけ離間し、陽極筒体２の外周面２ａに等間隔で配置されている。そのため、互いに隣接する放熱フィン５の間の隙間（所定の間隔Ｄ１）では、陽極筒体２の外周面２ａ（図１中、網掛け部分）が露出している。したがって、磁気ヨーク３内には動作時に高温となるマグネトロン１を空冷するために流れる冷却風が直接露出する陽極筒体２の外周面２ａに当たる。
【００１９】
次に、図２を参照して、放熱フィン５の構成について説明する。図２は、１枚の放熱フィン５の斜視図である。図２に示す放熱フィン５は、アルミニウムの薄板である。図２に示す放熱フィン５は、その内部に設けられた穴５ｄに陽極筒体２が挿入される本体部５ｃと、本体部５ｃの穴５ｄに沿って設けられた円筒部５ｅと、本体部５ｃの一部に切り込みを入れて形成される複数のフィン５ａ、５ｂとから構成される。円筒部５ｅは、陽極筒体２の外形に沿った形に形成されている。
【００２０】
なお、以下、円筒部５ｅを除く本体部５ｃ、及び複数のフィン５ａ、５ｂは、円筒部５ｅから略水平方向に延びる延出部と呼ぶことがある。また、円筒部５ｅは、本体部５ｃの一部を立ち上げて形成（バーリング）するため、立ち上がり部と呼ぶことがある。
【００２１】
複数のフィン５ａ、５ｂは、本体部５ｃの一部であり、円筒部５ｅから延びる延出部の一部を構成する。複数のフィン５ａ、５ｂは、放熱フィン５の一対の辺から所定の距離だけ、互いに平行に切り込みを入れて、切り込みが入った部分を複数個所、曲げ加工して形成される。
【００２２】
次に、マグネトロン１への放熱フィン５の取り付け方法について説明する。曲げ加工した放熱フィン５を複数枚用意する。そして、各放熱フィン５の穴５ｄの中に陽極筒体２が入るように、各放熱フィン５を陽極筒体２の外周面２ａと磁気ヨーク３の内面との間に、所定の間隔Ｄ１だけ離間し圧入する。所定の角度で曲げ加工された複数の放熱フィン５の端部（フィン５ａ、５ｂの端部）は、ヨーク３内に押し当てられた状態で固定され、円筒部５ｅの内周面５ｊは、陽極筒体２の外周面２ａと接触する。
【００２３】
次に、図３、４を参照して放熱フィン５の取り付け状態について説明する。図３は、放熱フィン５内に陽極筒体２が挿入された様子を示す図であり、図４は、円筒部５ｅと陽極筒体２の外周面２ａの接触部分を示す図ある。
【００２４】
図３に示すように、複数の放熱フィン５は、所定の間隔Ｄ１で配設されている。そのため、陽極筒体２の長手方向（図中、Ｘ方向）に沿って、互いに隣接する放熱フィン５の間に設けられた所定の間隔Ｄ１の隙間から、陽極筒体２の外周面２ａが露出している。そのため、マグネトロン１の動作時に、ヨーク３内に流れる冷却風が、陽極筒体２の外周面２ａに直接当たる。したがって、マグネトロン１の冷却効率を向上させることができる。  
【００２５】
図４に示すように、複数の放熱フィン５の円筒部５ｅの内周面５ｊは、陽極筒体２の外周面２ａと接触する。そのため、マグネトロン１の動作時、放熱フィン５は陽極筒体２の内部を効率良く冷却することができる。また、互いに隣接する複数の放熱フィン５は所定の間隔Ｄ１だけ離間しているので、陽極筒体２の外周面２ａとの空気層が減少し、熱伝導による冷却効果が低下することもない。
【００２６】
以上、本実施の形態に係るマグネトロン１では、放熱フィン５が、陽極筒体２の長手方向（図１中、Ｘ方向）に沿って、所定の間隔Ｄ１だけ離間し、陽極筒体２の外周面２ａに配設されている。そのため、互いに隣接する放熱フィン５の間の隙間では、陽極筒体２の外周面２ａが露出している。したがって、磁気ヨーク３内には動作時に高温となるマグネトロン１を空冷するための冷却風が、露出する陽極筒体２の外周面２ａに直接当たり、マグネトロン１の冷却効率が良い。
【００２７】
さらに、本実施の形態に係るマグネトロン１では、放熱フィン５が、陽極筒体２の長手方向（図１中、Ｘ方向）に沿って、所定の間隔Ｄ１だけ離間し、陽極筒体２の外周面２ａに配設されているので、互いに隣り合う放熱フィン５が圧入時に接触することがない。そのため、陽極筒体２の長手方向（図１中、Ｘ方向）に沿って、互いに隣接する放熱フィン５と、陽極筒体２の外周面２ａとの間の空気層が減少する。したがって、図８に示す従来のマグネトロン１０に比して、放熱フィン５への熱伝導による冷却効果を低下させることはない。
【００２８】
次に、図５〜図７を参照して、マグネトロン１の円筒部５ｅの変形例（１）〜（３）について説明する。円筒部５ｅの変形例（１）〜（３）では、マグネトロン１の冷却効果をより高めるために、円筒部５ｅに切り欠き、又は貫通穴を設けて、陽極筒体２の外周面２ａを、円筒部５ｅに設けられた切り欠き、又は貫通穴から露出させる。
【００２９】
（変形例１：円筒部５ｅ）
次に、図５を参照して、本実施の形態における円筒部５ｅの変形例（１）について説明する。図５は陽極筒体２を内部に挿入した状態の円筒部５ｅの変形例（１）を示す図である。説明のため、陽極筒体２の左半分のみを示す。
【００３０】
図５に示すように、複数の放熱フィン５の円筒部５ｅに所定の間隔Ｄ２で、矩形状の複数の切り欠き部５ｋを設ける。これにより、陽極筒体２の外周面２ａが、円筒部５ｅに設けられた複数の切り欠き部５ｋから露出する。そのため、円筒部５ｅの変形例（１）により、本実施の形態に係るマグネトロン１の冷却効果をより一層高めることができる。
【００３１】
（変形例２：円筒部５ｅ）
次に、図６を参照して、本実施の形態における円筒部５ｅの変形例（２）について説明する。図６は陽極筒体２を内部に挿入した状態の円筒部５ｅの変形例（２）を示す図である。説明のため、陽極筒体２の左半分のみを示す。
【００３２】
図６に示すように、複数の放熱フィン５の円筒部５ｅに所定の間隔Ｄ３で、矩形状の複数の貫通穴５ｌを設ける。これにより、陽極筒体２の外周面２ａが、円筒部５ｅに設けられた矩形状の複数の貫通穴５ｌから露出する。そのため、円筒部５ｅの変形例（２）により、本実施の形態に係るマグネトロン１の冷却効果をより一層高めることができる。
【００３３】
（変形例３：円筒部５ｅ）
次に、図７を参照して、本実施の形態における円筒部５ｅの変形例（３）について説明する。図７は陽極筒体２を内部に挿入した状態の円筒部５ｅの変形例（３）を示す図である。説明のため、陽極筒体２の左半分のみを示す。
【００３４】
図７に示すように、複数の放熱フィン５の円筒部５ｅに所定の間隔Ｄ４で、円形状の複数の貫通穴５ｍを設ける。これにより、陽極筒体２の外周面２ａが、円筒部５ｅに設けられた円形状の複数の貫通穴５ｍから露出する。そのため、円筒部５ｅの変形例（３）により、本実施の形態に係るマグネトロン１の冷却効果をより一層高めることができる。
【００３５】
なお、上記実施の形態において、円筒部５ｅの切り欠きの形状は、矩形状として説明したが、これに限らない。任意の形状の切り欠きを形成しても良い。
【００３６】
なお、上記実施の形態において、円筒部５ｅの貫通穴の形状は、矩形又は円形として説明したが、これに限らない。任意の形状の貫通穴を形成しても良い。
【産業上の利用可能性】
【００３７】
本発明に係るマグネトロン及びマグネトロン利用機器は、放熱フィンへの熱伝導による冷却効果を低下させず、マグネトロンの冷却効率を向上させることができる、という効果を有し、電子レンジ用のマグネトロン等として有用である。
【符号の説明】
【００３８】
１          マグネトロン
２          陽極筒体
２ａ        外周面
３          磁気ヨーク
４          永久磁石
５          放熱フィン
５ａ、５ｂ  フィン
５ｅ        円筒部
５ｋ        切り欠き部
５ｌ、５ｍ  貫通穴
【図１】
2011187421.tif 000003
【図２】
2011187421.tif 000004
【図３】
2011187421.tif 000005
【図４】
2011187421.tif 000006
【図５】
2011187421.tif 000007
【図６】
2011187421.tif 000008
【図７】
2011187421.tif 000009
【図８】
2011187421.tif 000010
【図９】
2011187421.tif 000011